(57)【特許請求の範囲】
【請求項１】
カウンター天板と、
吐水口を有する吐水部と、前記吐水口から吐出される水の流量を調整する流量調整部と、を有する水栓機能部と、
前記カウンター天板及び前記水栓機能部の下方に設けられ、前記カウンター天板とともに前記水栓機能部を収納する収納空間を形成するカバー部と、
を有するカウンター本体と、
前記収納空間内に設けられ前記カウンター本体の横方向の中央近傍を支持する中央部を有する支持部と、設置空間の壁面に取り付けられる取付部と、前記支持部と前記取付部とを接続する接続部と、を有し、前記カウンター本体を前記壁面から離間させた状態で前記壁面に保持するカウンター保持部と、
を備え、
前記取付部の横方向の幅及び前記接続部の横方向の幅は、前記カウンター本体の横方向の幅よりも狭く、
前記取付部及び前記接続部は、前後方向において前記カウンター本体の横方向の中心と重なる位置に配置され、
前記支持部は、前記カウンター本体の側端部の下方への撓みを抑制する撓み抑制手段を有することを特徴とする水栓カウンター。
【請求項２】
前記撓み抑制手段は、前記支持部の前記中央部の側方に形成された側方部であり、
前記側方部は、前記中央部と別体であり、前記中央部に保持され、
前記水栓機能部は、前記側方部に取り付けられることを特徴とする請求項１記載の水栓カウンター。
【請求項３】
前記中央部は、前記側方に第１立壁面を有し、
前記側方部は、前記第１立壁面と対向する第２立壁面を有する連結部材を有し、
前記第１立壁面及び前記第２立壁面の下方と前記カバー部との間には収納空間が形成されており、
前記側方部が前記第２立壁面より前記カウンター本体の中心から遠い位置において下方へ力が受けた際には、前記第１立壁面と前記第２立壁面との当接により、前記側方部の前記第２立壁面より前記カウンター本体の中心から遠い位置における下方への移動が抑制されることを特徴とする請求項２記載の水栓カウンター。
【請求項４】
前記側方部の一部分は、上方に前記中央部が配置されている側方端部を有し、
前記側方端部の下方と前記カバー部との間には、収納空間が設けられ、
前記側方部が前記側方端部より前記カウンター本体の中心から遠い位置において下方へ力を受けた際には、前記側方端部と前記中央部との当接により、前記側方部の前記側方端部より前記カウンター本体の中心から遠い位置における下方への移動が抑制されることを特徴とする請求項２又は３に記載の水栓カウンター。
【請求項５】
前記側方部は、前記カウンター天板の下面に面状に当接する当接部と、前記カウンター天板の前記下面から離間するように前記当接部から下方に向かって、前記カウンター本体の正面からみて面状に延出する延出部と、を有し、
前記水栓機能部は、前記吐水部及び前記流量調整部を含む複数の部品を有し、
前記複数の部品の少なくとも１つは、前記当接部の下方において前記当接部及び前記延出部に囲まれて形成された空間に配置されることを特徴とする請求項２〜４のいずれか１つに記載の水栓カウンター。
【発明の詳細な説明】
【技術分野】
【０００１】
本発明の態様は、一般的に、水栓カウンターに関する。
【背景技術】
【０００２】
カウンターと水栓装置とを一体化させた水栓カウンターがある。水栓カウンターは、例えば、浴室などに用いられ、壁面に取り付けられた状態で使用される。水栓カウンターでは、カウンター天板を含むカウンター本体を壁面から離間させるとともに、壁面に取り付けられる部分の幅をカウンター本体の幅よりも狭くすることにより、横方向の両端近傍において水栓カウンターと壁面との間に隙間を設けることが試みられている。このような水栓カウンターでは、デザイン性の向上を図ることができるとともに、隙間部分に光を通過させ、水栓カウンターの下方を明るくしやすくすることができる。また、壁面に取り付けられる部分をカウンター本体の横方向の中心と重なる位置に設けることにより、該隙間をカウンター本体の両端近傍にそれぞれ設けることができ、カウンター本体の両端近傍にそれぞれ設けられた該隙間部分から通過した光によって、水栓カウンターの下方を両端側から明るくすることができる。
【０００３】
しかしながら、カウンター本体の横方向の中心と重なる位置に設けられた壁面に取り付けられる部分の幅を狭くすると、水栓カウンターの重さにより、カウンター本体の両端部分が下方に撓んでしまう恐れがあった。こうした撓みは、水栓カウンターの美観を損なわせてしまう。また、カウンター天板が撓んだ場合には、上に載置した物の落下にもつながりかねない。
【０００４】
このため、水栓カウンターにおいては、両端近傍において水栓カウンターが取り付けられた壁面との間に隙間を設けた場合にも、両端部分の撓みを抑制することが望まれる。
【先行技術文献】
【特許文献】
【０００５】
【特許文献１】特開２００４−１１３５１０号公報
【発明の概要】
【発明が解決しようとする課題】
【０００６】
本発明は、かかる課題の認識に基づいてなされたものであり、両端近傍において水栓カウンターが取り付けられた壁面との間に隙間を設けることができ、かつ両端部分の撓みを抑制した水栓カウンターを提供することを目的とする。
【課題を解決するための手段】
【０００７】
第１の発明は、カウンター天板と、吐水口を有する吐水部と、前記吐水口から吐出される水の流量を調整する流量調整部と、を有する水栓機能部と、前記カウンター天板及び前記水栓機能部の下方に設けられ、前記カウンター天板とともに前記水栓機能部を収納する収納空間を形成するカバー部と、を有するカウンター本体と、前記収納空間内に設けられ前記カウンター本体の横方向の中央近傍を支持する中央部を有する支持部と、設置空間の壁面に取り付けられる取付部と、前記支持部と前記取付部とを接続する接続部と、を有し、前記カウンター本体を前記壁面から離間させた状態で前記壁面に保持するカウンター保持部と、を備え、前記取付部の横方向の幅及び前記接続部の横方向の幅は、前記カウンター本体の横方向の幅よりも狭く、前記取付部及び前記接続部は、前後方向において前記カウンター本体の横方向の中心と重なる位置に配置され、前記支持部は、前記カウンター本体の側端部の下方への撓みを抑制する撓み抑制手段を有することを特徴とする水栓カウンターである。
【０００８】
この水栓カウンターによれば、取付部及び接続部の横方向の幅をカウンター本体の横方向の幅よりも狭くしたため、カウンター本体を設置空間の壁面から離間させた状態で保持するので、水栓カウンターのデザイン性を向上させることができるとともに、水栓カウンターと壁面との間の隙間を光が通るため、水栓カウンターの下方を明るくしやすくすることができる。また、取付部及び接続部を前後方向においてカウンター本体の横方向の中心と重なる位置に配置したため、該隙間をカウンター本体の両端近傍にそれぞれ設けることができ、カウンター本体の両端近傍にそれぞれ設けられた該隙間部分から通過した光によって、水栓カウンターの下方を両端側から明るくすることができる。また、支持部は、カウンター本体の側端部の下方への撓みを抑制する撓み抑制手段を有しているため、この撓み抑制手段により、カウンター本体の側端部の下方への撓みを抑制することができるため、水栓カウンターの美観を損なわせてしまうことがなく、また、カウンター天板が撓むことでカウンター天板の上に載置した物の落下する恐れがない。以上より、カウンター本体の両端近傍において壁面との間に隙間を設けることができつつ、カウンター本体の両端部分の撓みを抑制することができる。
【０００９】
また、第２の発明は、第１の発明において、前記撓み抑制手段は、前記支持部の前記中央部の側方に形成された側方部であり、前記側方部は、前記中央部と別体であり、前記中央部に保持され、前記水栓機能部は、前記側方部に取り付けられることを特徴とする水栓カウンターである。
【００１０】
この水栓カウンターによれば、撓み抑制手段は支持部の中央部の側方に形成された側方部であり、側方部は中央部と別体であり中央部に保持され、水栓機能部は、側方部に取り付けられるため、取付部と接続部と中央部とを壁面に取り付けた後に、水栓機能部が設けられた側方部を中央部に取り付け、保持させることができる。これにより、重量の重い水栓カウンターを一度に壁面に取り付ける必要が無く、水栓カウンターの施工性を向上させることができる。
【００１１】
また、第３の発明は、第２の発明において、前記中央部は、前記側方に第１立壁面を有し、前記側方部は、前記第１立壁面と対向する第２立壁面を有する連結部材を有し、前記第１立壁面及び前記第２立壁面の下方と前記カバー部との間には収納空間が形成されており、前記側方部が前記第２立壁面より前記カウンター本体の中心から遠い位置において下方へ力が受けた際には、前記第１立壁面と前記第２立壁面との当接により、前記側方部の下方への移動が抑制されることを特徴とする水栓カウンターである。
【００１２】
この水栓カウンターによれば、側方部が第２立壁面よりカウンター本体の中心から遠い位置において下方へ力が受けた際にも、第１立壁面と第２立壁面との当接により、側方部の前記第２立壁面より前記カウンター本体の中心から遠い位置における下方への移動を抑制することができるため、カウンター本体の側端部の下方への撓みを抑制することができ、水栓カウンターの美観を損なわせてしまうことがなく、また、カウンター天板が撓むことでカウンター天板の上に載置した物の落下する恐れがない。また、第１立壁面及び第２立壁面の下方とカバー部との間には収納空間が形成されているため、第１立壁面及び第２立壁面を設けた際にも、水栓機能部や例えば水栓機能部に接続する配管などのための収納空間を確保することができる。従って、該収納空間を圧迫することなく、カウンター本体の側端部の下方への撓みを適切に抑制することができる。
【００１３】
また、第４の発明は、第２の発明又は第３の発明において、前記側方部の一部分は、上方に中央部が配置されている側方端部を有し、前記側方端部の下方と前記カバー部との間には、収納空間が設けられ、前記側方部が前記側方端部より前記カウンター本体の中心から遠い位置において下方へ力を受けた際には、前記側方端部と前記中央部との当接により、前記側方部の下方への移動が抑制されることを特徴とする水栓カウンターである。
【００１４】
この水栓カウンターによれば、側方部が側方端部よりカウンター本体の中心から遠い位置において下方へ力を受けた際にも、側方端部と側方端部の上方に配置されている中央部との当接により、側方部の前記側方端部より前記カウンター本体の中心から遠い位置における下方への移動が抑制されるため、カウンター本体の側端部の下方への撓みを抑制することができ、水栓カウンターの美観を損なわせてしまうことがなく、また、カウンター天板が撓むことでカウンター天板の上に載置した物の落下する恐れがない。また、側方端部の下方とカバー部との間には収納空間が設けられているため、水栓機能部や例えば水栓機能部に接続する配管などのための収納空間を確保することができる。従って、該収納空間を圧迫することなく、カウンター本体の側端部の下方への撓みを適切に抑制することができる。
【００１５】
また、第５の発明は、第２〜第４の発明のいずれか１つにおいて、前記側方部は、前記カウンター天板の下面に面状に当接する当接部と、前記カウンター天板の前記下面から離間するように前記当接部から下方に向かって、前記カウンター本体の正面からみて面状に延出する延出部と、を有し、前記水栓機能部は、前記吐水部及び前記流量調整部を含む複数の部品を有し、前記複数の部品の少なくとも１つは、前記当接部の下方において前記当接部及び前記延出部に囲まれて形成された空間に配置されることを特徴とする水栓カウンターである。
【００１６】
この水栓カウンターによれば、カウンター天板の下面に面状に当接する当接部、及び、カウンター天板の下面から離間するように当接部から下方に向かって、カウンター本体の正面からみて面状に延出する延出部を設ける。このことより、当接部の面が、延出部の面の上の辺が折れ曲がる方向に下方への外力を受けた際にも、延出部の面によって当接部の面が撓むことを防ぐことができるため、側方部の下方への外力に対する剛性をより高めることができる。よって、側方部がより変形しにくくなり、結果として水栓カウンターの強度を高めることができる。
【００１７】
また、複数の部品の少なくとも１つは当接部の下方に配置されるため、当接部から下方へ延出する延出部を設けた際にも、当接部の下方において当接部及び延出部に囲まれて形成された空間を利用して水栓機能部を効率良く配置できるため、カウンター本体が厚くなってしまうことを抑制できる。また、水栓機能部は、当接部及び延出部に囲まれて形成された空間に配置されるため、当接部及び延出部によって水栓機能部を外部からの衝撃から保護することができる。
【００１８】
以上より、水栓機能部を効率良く配置できつつ、当接部及び延出部によって水栓機能部を外部からの衝撃から保護することができ、且つ、このように水栓機能部を当接部の下方において当接部及び延出部に囲まれて形成された空間を利用して配置させた際にも、延出部の面によって当接部の面が撓むことを防ぐことができるため、水栓機能部の重さによって側方部が変形してしまうことを抑制できる。
【発明の効果】
【００１９】
本発明の態様によれば、両端近傍において水栓カウンターが取り付けられた壁面との間に隙間を設けることができ、かつ両端部分の撓みを抑制した水栓カウンターを提供することができる。
【図面の簡単な説明】
【００２０】
【図１】本発明の実施の形態に係る水栓カウンターを模式的に表す正面図である。
【図２】本発明の実施の形態に係る水栓カウンターを模式的に表す側面図である。
【図３】本発明の実施の形態に係る水栓カウンターを模式的に表す分解斜視図である。
【図４】本発明の実施の形態に係る水栓カウンターを模式的に表す斜視図である。
【図５】本発明の実施の形態に係る水栓カウンターを模式的に表す底面図である。
【図６】図６（ａ）及び図６（ｂ）は、本発明の実施の形態に係るカウンター保持部を模式的に表す斜視図である。
【図７】本発明の実施の形態に係る水栓カウンターの一部を模式的に表す正面図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、本発明の実施の形態に係る水栓カウンターを模式的に表す正面図である。  
図２は、本発明の実施の形態に係る水栓カウンターを模式的に表す側面図である。  
図３は、本発明の実施の形態に係る水栓カウンターを模式的に表す分解斜視図である。  図４は、本発明の実施の形態に係る水栓カウンターを模式的に表す斜視図である。  
図１〜図４に表したように、水栓カウンター１０は、カウンター本体１２と、カウンター保持部１４と、を備える。水栓カウンター１０は、例えば、浴室などの設置空間ＩＳの壁面ＷＬに取り付けられた状態で使用される。
【００２２】
本願明細書においては、壁面ＷＬから手前に向かう方向（図２において紙面左に向く方向）を「前方」とし、これと反対の方向を「後方」とする。また、前後方向及び上下方向に対して垂直な方向（図２において紙面に対して直交する方向）を横方向とする。
【００２３】
カウンター本体１２は、カウンター天板２０と、水栓機能部２１と、カバー部２２と、を有する。水栓カウンター１０では、水栓機能部２１から水を吐止水することができる。また、水栓カウンター１０では、カウンター天板２０の上に、例えば、ボディソープやシャンプーなどを載置することができる。このように、水栓カウンター１０は、例えば、浴室内の水栓装置として機能するとともに、浴室カウンターとして機能する。換言すれば、水栓カウンター１０は、水栓装置とカウンターとを一体化させたものである。
【００２４】
水栓カウンター１０は、例えば、浴室内において、洗面器などを載置するためのカウンター２の上方に配置される。また、浴室内において、水栓カウンター１０の上方には、照明４が設けられる。水栓カウンター１０の設置空間ＩＳは、浴室に限ることなく、例えば、洗面所などでもよい。水栓カウンター１０は、例えば、洗面所において洗面台の上方に取り付けて用いてもよい。
【００２５】
カウンター保持部１４は、水栓カウンター１０の壁面ＷＬへの取り付けに用いられる。カウンター保持部１４は、カウンター本体１２を壁面ＷＬから離間させた状態で保持し、カウンター本体１２の両側端近傍において、壁面ＷＬとの間に隙間を設ける。これにより、水栓カウンター１０では、デザイン性の向上を図ることができる。また、浴室などでは、水栓カウンター１０の上方に照明４が配置される場合が多い。このため、照明４からの光を隙間部分に通過させ、水栓カウンター１０の下方を明るくしやすくすることもできる。
【００２６】
カウンター天板２０の横方向の長さは、カウンター天板２０の前後方向の長さよりも長い。カウンター天板２０は、平面視（上から見た時）において、略矩形状である。カウンター天板２０は、略矩形の平板状である。カウンター天板２０の形状は、これに限ることなく、横方向に長い任意の形状でよい。
【００２７】
水栓機能部２１は、吐水口３０ａを有するスパウト３０（吐水部）と、吐水口３０ａから吐出される水の流量を調整する流量調整部３１と、を有する。水栓機能部２１は、例えば、シャワーエルボ３２と、吐止水切替部３３と、温度調整部３４と、をさらに有する。シャワーエルボ３２には、図示を省略したハンドシャワーが接続される。吐止水切替部３３は、吐水口３０ａ用の操作部３３ａと、シャワー用の操作部３３ｂと、を有し、各操作部３３ａ、３３ｂの操作に応じて、吐水口３０ａ又はハンドシャワーからの吐止水を切り替える。温度調整部３４は、操作部３４ａを有し、操作部３４ａの操作に応じて、吐水口３０ａ又はハンドシャワーから吐出される水の温度を調整する。温度調整部３４は、流量調整部３１の横方向に配置される。流量調整部３１は、操作部３１ａを有し、操作部３１ａの操作に応じて、吐水口３０ａ又はハンドシャワーから吐出される水の流量を調整する。
【００２８】
水栓カウンター１０においては、流量調整部３１及び温度調整部３４を操作した後、吐止水切替部３３を操作する。これにより、所望の流量及び温度の水が、吐水口３０ａ又はハンドシャワーから吐出される。
【００２９】
この例では、吐止水切替部３３によって、吐水口３０ａ又はハンドシャワーからの吐止水を切り替えている。これに限ることなく、例えば、流量調整部３１によって、流量及び吐止水を切り替えられるようにしてもよい。
【００３０】
カバー部２２は、カウンター天板２０及び水栓機能部２１の下方に設けられ、カウンター天板２０とともに水栓機能部２１を収納する収納空間ＳＳを形成する。カバー部２２は、例えば、側面パネル４０、４１と、下カバー４２と、保持部カバー４３と、を有する。
【００３１】
側面パネル４０、４１は、カウンター天板２０の外縁に沿い、水栓機能部２１の前面及び側面を覆う。下カバー４２は、側面パネル４０、４１の下端に取り付けられ、水栓機能部２１の下方を覆う。これにより、カウンター天板２０とともに、収納空間ＳＳを形成する。また、カバー部２２は、水栓機能部２１を収納するとともに、水栓機能部２１の吐水口３０ａ及び各操作部３１ａ、３３ａ、３３ｂ、３４ａを露出させる。
【００３２】
保持部カバー４３は、カウンター保持部１４のカウンター本体１２と壁面ＷＬとの間に露呈する部分を覆う。保持部カバー４３は、例えば、カウンター保持部１４の露呈部の上方及び側方を覆う。下カバー４２は、カウンター保持部１４の露呈部の下方を覆う。カウンター保持部１４には、例えば、ステンレスなどの金属材料が用いられる。カウンター天板２０及びカバー部２２には、例えば、樹脂材料が用いられる。これにより、カウンター保持部１４及び水栓機能部２１をカウンター天板２０及びカバー部２２で覆うことにより、水栓カウンター１０の美観を向上させることができる。カバー部２２の構成及び形状は、上記に限ることなく、水栓機能部２１を収納可能な任意の構成及び形状でよい。
【００３３】
図５は、本発明の実施の形態に係る水栓カウンターを模式的に表す底面図である。  
図３及び図５に表したように、水栓機能部２１は、給水口５０、給湯口５１、及び供給口５２に接続される。給水口５０、給湯口５１、及び供給口５２は、壁面ＷＬに保持されている。なお、図５では、便宜的に、下カバー４２を取り外した状態の底面図を図示している。
【００３４】
給水口５０は、壁内において、給水管に接続されている。これにより、給水口５０を介して水栓カウンター１０に水が供給される。給湯口５１は、壁内において、給湯管に接続されている。これにより、給湯口５１を介して水栓カウンター１０に湯が供給される。
【００３５】
供給口５２は、オーバーヘッドシャワー用の配管である配管６５に接続されている。この際、水栓機能部２１とシャワーエルボ３２との接続を外し、水栓機能部２１と配管６５を接続させることで、使用者の操作により、所望の流量及び温度の水を、水栓カウンター１０からオーバーヘッドシャワーへ供給させることができる。水栓機能部２１が、シャワーエルボ３２を介してハンドシャワーに接続されるとともに、供給口５２を介してオーバーヘッドシャワーに接続される構成であっても良い。この場合、他方に接続される配管経路は、塞いでもよい。また、水栓機能部２１は、シャワーエルボ３２及び供給口５２に接続される管路の一方のみを有するものでもよい。
【００３６】
水栓機能部２１は、水用止水栓５４と、湯用止水栓５５と、をさらに有する。水用止水栓５４は、給水口５０に接続される。水用止水栓５４は、水の管路を開閉し、水用止水栓５４よりも下流に水を流す状態と、水用止水栓５４よりも下流に水を流さない状態と、を切り替える。水用止水栓５４は、例えば、水栓カウンター１０に不具合が生じた場合などに、管路を閉じ、給水口５０から供給される一次圧の水が、下流に流れないようにする。
【００３７】
湯用止水栓５５は、配管６０を介して給湯口５１に接続される。湯用止水栓５５は、水用止水栓５４と同様に、湯の管路を開閉し、湯用止水栓５５よりも下流に水を流す状態と、湯用止水栓５５よりも下流に水を流さない状態と、を切り替える。
【００３８】
水用止水栓５４は、配管６１を介して温度調整部３４に接続されている。湯用止水栓５５は、配管６２を介して温度調整部３４に接続されている。これにより、温度調整部３４に水及び湯が供給される。温度調整部３４は、操作部３４ａの操作に応じて、水及び湯の混合比を変化させることにより、水の温度を調整する。
【００３９】
温度調整部３４は、流量調整部３１に接続されている。温度調整部３４は、混合後の水を流量調整部３１に供給する。流量調整部３１は、操作部３１ａの操作に応じて、下流に流れる水の流量を調整する。これにより、操作部３１ａ及び操作部３４ａの操作により、所望の流量及び温度の水を得ることができる。
【００４０】
流量調整部３１は、配管６３を介して吐止水切替部３３に接続されている。吐止水切替部３３は、配管６４を介して吐水口３０ａに接続されている。また、吐止水切替部３３は、シャワーエルボ３２に接続される。これにより、操作部３３ａの操作によって、所望の流量及び温度の水が、吐水口３０ａから吐出され、操作部３３ｂの操作によって、所望の流量及び温度の水が、ハンドシャワーから吐出される。なお、上述した通り、吐止水切替部３３とシャワーエルボ３２との接続を外し、吐止水切替部３３と配管６５を接続させることで、使用者の操作により、所望の流量及び温度の水を、水栓カウンター１０からオーバーヘッドシャワーへ供給させることができる。
【００４１】
図６（ａ）及び図６（ｂ）は、本発明の実施の形態に係るカウンター保持部を模式的に表す斜視図である。  
図６（ａ）及び図６（ｂ）に表したように、カウンター保持部１４は、支持部７０と、取付部７１と、接続部７２と、を有する。支持部７０は、カウンター天板２０とカバー部２２とで形成される収納空間ＳＳ内に設けられ、カウンター本体１２の横方向の中央近傍を支持する。
【００４２】
取付部７１は、壁面ＷＬに取り付けられる。取付部７１は、壁面ＷＬと対向する板状である。水栓カウンター１０は、例えば、取付部７１を壁面ＷＬにネジ止めすることによって、壁面ＷＬに取り付けられる。取付部７１には、給水口５０を露呈させるための開口７１ａと、給湯口５１を露呈させるための開口７１ｂと、供給口５２を露呈させるための開口７１ｃと、が設けられている。このように、カウンター保持部１４は、給水口５０及び給湯口５１と対向して壁面ＷＬに取り付けられる。換言すれば、カウンター保持部１４は、給水口５０及び給湯口５１を覆うように壁面ＷＬに取り付けられる。
【００４３】
接続部７２は、支持部７０と取付部７１とを接続する。接続部７２は、上下方向においてカウンター天板２０と重ならない。すなわち、カウンター保持部１４は、接続部７２の前後方向の長さの分だけカウンター本体１２を壁面ＷＬから離間させる。保持部カバー４３は、カウンター保持部１４のうちの取付部７１及び接続部７２を覆う。
【００４４】
取付部７１の横方向の幅Ｗ１及び接続部７２の横方向の幅Ｗ２は、カウンター本体１２の横方向の幅Ｗ３よりも狭い（図５参照）。取付部７１及び接続部７２は、前後方向においてカウンター本体１２の横方向の中心ＣＬと重なる位置に配置される。換言すれば、取付部７１及び接続部７２は、前方から見た時に、カウンター本体１２の横方向の中心ＣＬと重なる位置に配置される。これにより、水栓カウンター１０においては、横方向の両端近傍において壁面ＷＬとの間に隙間を設けることができる。スパウト３０と水用止水栓５４と湯用止水栓５５とは、前後方向において取付部７１と重なる位置に配置される。すなわち、スパウト３０と水用止水栓５４と湯用止水栓５５とは、カウンター本体１２の横方向の中央近傍に配置される。
【００４５】
取付部７１の幅Ｗ１及び接続部７２の幅Ｗ２は、例えば、カウンター本体１２の幅Ｗ３の１／２以下である。これにより、壁面ＷＬとの間に適切に隙間を設けることができる。また、取付部７１の幅Ｗ１及び接続部７２の幅Ｗ２は、例えば、カウンター本体１２の幅Ｗ３の１／１０以上である。これにより、カウンター本体１２を適切に支持することができる。
【００４６】
この例において、取付部７１及び接続部７２の横方向の中心の位置は、カウンター本体１２の横方向の中心ＣＬの位置と実質的に同じである。取付部７１及び接続部７２の横方向の中心の位置は、取付部７１及び接続部７２が中心ＣＬに重なる範囲において、中心ＣＬの位置と異なってもよい。取付部７１及び接続部７２の横方向の中心の位置は、中心ＣＬに対して右又は左にずれていてもよい。
【００４７】
支持部７０は、中央部７４と、一対の側方部７５、７６（撓み抑制手段）と、を有する。中央部７４は、支持部７０において、接続部７２に接続された部分である。換言すれば、中央部７４は、接続部７２と一体に形成された部分である。
【００４８】
側方部７５は、中央部７４から一方の側方に延びる。側方部７６は、中央部７４から他方の側方に延びる。各側方部７５、７６は、中央部７４から接続部７２よりも側方に延びる。各側方部７５、７６は、接続部７２の横方向の端部よりも側方に延びる。これにより、各側方部７５、７６は、カウンター本体１２の両側端部の下方への撓みを抑制する。支持部７０の横方向の幅Ｗ４は、収納空間ＳＳの横方向の幅と実質的に同じである。これにより、支持部７０により、カウンター本体１２を適切に支持することができる。支持部７０の横方向の幅Ｗ４は、カウンター本体１２の撓みを抑制可能な任意の長さでよい。
【００４９】
支持部７０は、横方向及び前後方向に延びる板状である。換言すれば、支持部７０は、カウンター天板２０と略平行な板状である。これにより、中央部７４とカバー部２２との間に収納空間ＳＳの一部が設けられるとともに、各側方部７５、７６とカバー部２２との間に収納空間ＳＳの一部が設けられる。これにより、収納空間ＳＳを圧迫することなく、カウンター本体１２の両側端部の下方への撓みを抑制することができる。
【００５０】
各側方部７５、７６は、中央部７４と別体である。各側方部７５、７６は、中央部７４に保持される。各側方部７５、７６は、例えば、ネジ止めなどにより、中央部７４に着脱可能に保持される。各側方部７５、７６は、連結部材７７、７８を有する。各側方部７５、７６は、各連結部材７７、７８を介して中央部７４に保持される。
【００５１】
中央部７４は、一対のブラケット部８０、８１と、平板部８２と、を有する。各ブラケット部８０、８１は、中央部７４の横方向の端部に設けられる。各ブラケット部８０、８１は、前後方向及び横方向に延びるとともに、横方向の端部において下方に折り曲げられた断面略Ｌ字型の部材である。各ブラケット部８０、８１の下方に折り曲げられた部分の長さは、先端から基端に向かって漸次的に長くなる。これにより、各ブラケット部８０、８１の強度を高めることができる。各ブラケット部８０、８１の折り曲げ部分により、中央部７４の側方には、側方を向く立壁面８０ａ、８１ａ（第１立壁面）が設けられる。
【００５２】
平板部８２は、当接部８２ａと、一対の延出部８２ｂ、８２ｃと、を有する。当接部８２ａは、カウンター天板２０の下面２０ｂ（図５参照）に面状に当接する。各延出部８２ｂ、８２ｃは、当接部８２ａの横方向の両端に設けられる。各延出部８２ｂ、８２ｃは、カウンター天板２０の下面２０ｂから離間するように当接部８２ａから下方に向かって、カウンター本体１２の正面からみて面状に延出する。各延出部８２ｂ、８２ｃとカウンター天板２０の下面２０ｂとの間の距離は、例えば、各ブラケット部８０、８１の先端近傍の折り曲げ部分の長さと実質的に同じである。延出部８２ｂは、例えば、延出部８２ｃと略面一である。
【００５３】
側方部７５は、当接部７５ａと、一対の延出部７５ｂ、７５ｃと、を有する。当接部７５ａは、カウンター天板２０の下面２０ｂに面状に当接する。各延出部７５ｂ、７５ｃは、当接部７５ａの横方向の両端に設けられる。各延出部７５ｂ、７５ｃは、カウンター天板２０の下面２０ｂから離間するように当接部８２ａから下方に向かって、カウンター本体１２の正面からみて面状に延出する。各当接部７５ａ、８２ａをカウンター天板２０の下面２０ｂに当接させた状態において、下面２０ｂと延出部７５ｂとの間の距離は、下面２０ｂと延出部８２ｂとの間の距離と実質的に同じである。延出部７５ｂは、延出部８２ｂと略面一である。
【００５４】
側方部７６は、当接部７６ａと、一対の延出部７６ｂ、７６ｃと、を有する。側方部７６の形状は、側方部７５の形状と左右対称な実質的に同じ形状であるから、詳細な説明は省略する。
【００５５】
各側方部７５、７６の後端には、下方に向けて折り曲げられた折り曲げ部７５ｄ、７６ｄが設けられている。各連結部材７７、７８は、例えば、ネジ止めなどにより、各側方部７５、７６の各折り曲げ部７５ｄ、７６ｄに取り付けられる。
【００５６】
各連結部材７７、７８は、中央部７４の立壁面８０ａ、８１ａと対向する立壁面７７ａ、７８ａ（第２立壁面）を有する。各側方部７５、７６は、各立壁面７７ａ、７８ａを各立壁面８０ａ、８１ａに当接させた状態で、中央部７４に保持される。各立壁面８０ａ、８１ａ及び各立壁面７７ａ、７８ａの下方とカバー部２２との間には、収納空間ＳＳの一部が形成される。各側方部７５、７６が立壁面７７ａ、７８ａよりカウンター本体１２の中心から遠い位置において下方へ力が受けた際には、立壁面８０ａ、８１ａと立壁面７７ａ、７８ａとの当接により、各側方部７５、７６の下方への移動が抑制される。
【００５７】
また、各側方部７５、７６は、中央部７４に保持された状態において、中央部７４の下方に当接する。この例において、各側方部７５、７６は、中央部７４に保持された状態において、各ブラケット部８０、８１の下端に当接する。この例では、延出部７５ｂ（側方端部）の上方に中央部７４のブラケット部８０が配置されている。延出部７６ｂ（側方端部）の上方に中央部７４のブラケット部８１が配置されている。延出部７５ｂは、ブラケット部８０に当接する。延出部７６ｂは、ブラケット部８１に当接する。延出部７５ｂ、７６ｂの下方とカバー部２２との間には、収納空間ＳＳの一部が設けられる。側方部７５、７６が延出部７５ｂ、７６ｂよりカウンター本体１２の中心から遠い位置において下方へ力を受けた際には、延出部７５ｂ、７６ｂとブラケット部８０、８１の当接により、側方部７５、７６の下方への移動が抑制される。
【００５８】
中央部７４の延出部８２ｂは、貫通孔９０を有する。中央部７４の延出部８２ｃは、貫通孔９１を有する。延出部８２ｂは、前後方向に並ぶ２つの貫通孔９０を有する。同様に、延出部８２ｃは、前後方向に並ぶ２つの貫通孔９１を有する。各貫通孔９０、９１は、中央部７４のカウンター天板２０への取り付けに用いられる。中央部７４は、各延出部８２ｂ、８２ｃにおいてカウンター天板２０に取り付けられる。各貫通孔９０、９１の数は、２つに限ることなく、１つでもよいし、３つ以上でもよい。
【００５９】
同様に、側方部７５は、延出部７５ｂに設けられた２つの貫通孔９２、及び、延出部７５ｃに設けられた２つの貫通孔９３を有し、側方部７６は、延出部７６ｂに設けられた２つの貫通孔９４、及び、延出部７６ｃに設けられた２つの貫通孔９５を有する。側方部７５は、各貫通孔９２、９３を介してカウンター天板２０に取り付けられ、側方部７６は、各貫通孔９４、９５を介してカウンター天板２０に取り付けられる。このように、各側方部７５は、各延出部７５ｂ、７５ｃにおいてカウンター天板２０に取り付けられ、各側方部７６は、各延出部７６ｂ、７６ｃにおいてカウンター天板２０に取り付けられる。各側方部７５、７６の取り付けに用いられる貫通孔の数は、２つに限ることなく、任意の数でよい。
【００６０】
図７は、本発明の実施の形態に係る水栓カウンターの一部を模式的に表す正面図である。  
図７に表したように、カウンター天板２０の下面２０ｂには、下方に向けて突出する複数の突出部ＰＵ１、ＰＵ２、ＰＵ３、ＰＵ４が設けられている。実際には、各突出部ＰＵ１、ＰＵ２、ＰＵ３、ＰＵ４の奥にもう１つずつ、計８つの突出部が下面２０ｂに設けられる。突出部の数は、８つに限ることなく、必要に応じた任意の数でよい。なお、図７では、便宜的に、カウンター保持部１４を簡略化して図示している。
【００６１】
突出部ＰＵ１は、中央部７４の延出部８２ｂと対向する。突出部ＰＵ２は、中央部７４の延出部８２ｃと対向する。突出部ＰＵ１の突出量は、下面２０ｂと延出部８２ｂとの間の距離と実質的に同じである。突出部ＰＵ２の突出量は、下面２０ｂと延出部８２ｃとの間の距離と実質的に同じである。これにより、延出部８２ｂは、突出部ＰＵ１に当接し、延出部８２ｃは、突出部ＰＵ２に当接する。
【００６２】
また、突出部ＰＵ１は、延出部８２ｂの貫通孔９０と対向し、貫通孔９０と対向する位置に設けられたインサートナットを有する。突出部ＰＵ２は、延出部８２ｃの貫通孔９１と対向し、貫通孔９１と対向する位置に設けられたインサートナットを有する。中央部７４は、各延出部８２ｂ、８２ｃを各突出部ＰＵ１、ＰＵ２にネジ止めすることにより、カウンター天板２０の下面２０ｂに取り付けられる。
【００６３】
突出部ＰＵ１は、中央部７４の延出部８２ｂと対向するとともに、側方部７５の延出部７５ｂと対向する。突出部ＰＵ３は、側方部７５の延出部７５ｃと対向する。突出部ＰＵ３の突出量は、下面２０ｂと延出部７５ｃとの間の距離と実質的に同じである。これにより、延出部７５ｂは、突出部ＰＵ１に当接し、延出部７５ｃは、突出部ＰＵ３に当接する。
【００６４】
突出部ＰＵ１は、延出部７５ｂの貫通孔９２と対向し、貫通孔９２と対向する位置に設けられたインサートナットを有する。突出部ＰＵ３は、延出部７５ｃの貫通孔９３と対向し、貫通孔９３と対向する位置に設けられたインサートナットを有する。側方部７５は、各延出部７５ｂ、７５ｃを各突出部ＰＵ１、ＰＵ３にネジ止めすることにより、カウンター天板２０の下面２０ｂに取り付けられる。同様に、側方部７６は、各延出部７６ｂ、７６ｃを各突出部ＰＵ２、ＰＵ４にネジ止めすることにより、カウンター天板２０の下面２０ｂに取り付けられる。
【００６５】
このように、カウンター天板２０の下面２０ｂに各突出部ＰＵ１、ＰＵ２、ＰＵ３、ＰＵ４を設け、各突出部ＰＵ１、ＰＵ２、ＰＵ３、ＰＵ４にインサートナットを設ける。これにより、例えば、カウンター天板２０の強度の低下を抑えつつ、カウンター天板２０を薄型化することができる。
【００６６】
また、各側方部７５、７６に延出部７５ｂ、７５ｃ、７６ｂ、７５ｃを設け、各延出部７５ｂ、７５ｃ、７６ｂ、７６ｃにおいて各側方部７５、７６をカウンター天板２０に取り付ける。これにより、例えば、折り曲げ部分の無い平板状の構成に比べて、各側方部７５、７６の強度を高めることができる。
【００６７】
また、中央部７４と側方部７５とを同じ突出部ＰＵ１に取り付ける。これにより、例えば、中央部７４と側方部７５とを個別の突出部に取り付ける場合に比べて、カウンター天板２０の強度をより高めることができる。例えば、カウンター天板２０の側端部の下方への撓みに対する強度（曲げ剛性）をより高めることができる。
【００６８】
水栓機能部２１は、部品保持部材１００、１０２を有する。部品保持部材１００は、例えばネジ止めにより、側方部７５の各延出部７５ｂ、７５ｃに取り付けられる。部品保持部材１００は、延出部７５ｂ、７５ｃに取り付けられることにより、流量調整部３１及び温度調整部３４を当接部７５ａに配置した状態で、側方部７５に保持する。これにより、流量調整部３１及び温度調整部３４は、部品保持部材１００を介して側方部７５に取り付けられるとともに、側方部７５を介してカウンター天板２０に取り付けられる。
【００６９】
部品保持部材１０２は、例えばネジ止めにより、側方部７６の各延出部７６ｂ、７６ｃに取り付けられる。部品保持部材１０２は、延出部７６ｂ、７６ｃに取り付けられることにより、吐止水切替部３３を当接部７６ａに配置した状態で、側方部７６に保持する。これにより、吐止水切替部３３は、部品保持部材１０２を介して側方部７６に取り付けられるとともに、側方部７６を介してカウンター天板２０に取り付けられる。
【００７０】
このように、水栓機能部２１は、部品保持部材１００、１０２などを介して、側方部７５、７６に取り付けられる。水栓カウンター１０では、例えば、カウンター保持部１４のうちの取付部７１と接続部７２と中央部７４との部分を先に壁面ＷＬに取り付けることができる。この後、カウンター天板２０と水栓機能部２１と各側方部７５、７６とを組み立てた状態で、各側方部７５、７６の間に中央部７４を挿し込む。これにより、カウンター本体１２を壁面ＷＬに取り付けることができる。従って、例えば、水栓カウンター１０の全体を一度に壁面ＷＬに取り付ける場合に比べて、施工性を向上させることができる。
【００７１】
当接部７５ａ、７６ａと、延出部７５ｂ、７５ｃ、７６ｂ、７６ｃと、を側方部７５、７６に設け、部品保持部材１００、１０２を各延出部７５ｂ、７５ｃ、７６ｂ、７６ｃに取り付ける。これにより、例えば、各延出部７５ｂ、７５ｃ、７６ｂ、７６ｃと下面２０ｂとの間の空間に、ネジなどの保持具の一部を入り込ませることができる。従って、カウンター天板２０に加工を施すことなく、水栓機能部２１の部品を側方部７５、７６に取り付けることができる。これにより、例えば、カウンター天板２０の形状を簡易にし、カウンター天板２０の製造性を高めることができる。
【００７２】
この例では、各側方部７５、７６の各延出部７５ｂ、７５ｃ、７６ｂ、７６ｃをカウンター天板２０への取り付け、及び、水栓機能部２１の取り付けに用いている。各延出部７５ｂ、７５ｃ、７６ｂ、７６ｃは、例えば、中央部７４への取り付けに用いてもよい。
【００７３】
流量調整部３１、吐止水切替部３３、温度調整部３４などの水栓機能部２１を構成する複数の部品の少なくとも１つを、当接部７５ａ、７６ａに配置した状態で、側方部７５、７６に保持する。すなわち、水栓機能部２１を構成する複数の部品の少なくとも１つは、当接部７５ａ、７６ａの下方において当接部７５ａ、７６ａ及び延出部７５ｂ、７６ｂに囲まれて形成された空間に配置される。これにより、例えば、水栓機能部２１を収納空間ＳＳ内に効率良く配置し、カウンター本体１２の厚さを抑えることができる。
【００７４】
また、流量調整部３１、吐止水切替部３３、温度調整部３４などの水栓機能部２１の各部品は、デザイン性の観点などから左右に寄せて配置される場合がある。例えば、側方部７５、７６を有しない水栓カウンターにおいて、カウンター保持部の幅をカウンター本体の幅よりも狭くし、かつ流量調整部などの重量物を左右に寄せて配置した場合、カウンター本体の両側端が下方に撓んでしまう恐れがある。
【００７５】
本実施形態に係る水栓カウンター１０では、各側方部７５、７６が、カウンター本体１２の両側端部の下方への撓みを抑制する。これにより、水栓機能部２１の各部品を両側端近傍に配置した場合にも、カウンター本体１２の撓みを抑制することができる。
【００７６】
以上、説明したように、水栓カウンター１０では、取付部７１及び接続部７２の横方向の幅をカウンター本体１２の横方向の幅よりも狭くしたため、カウンター本体１２を設置空間ＩＳの壁面ＷＬから離間させた状態で保持する。これにより、水栓カウンター１０のデザイン性を向上させることができるとともに、水栓カウンター１０と壁面ＷＬとの間の隙間を光が通るため、水栓カウンター１０の下方を明るくしやすくすることができる。また、取付部７１及び接続部７２を前後方向においてカウンター本体１２の横方向の中心ＣＬと重なる位置に配置したため、該隙間をカウンター本体１２の両端近傍にそれぞれ設けることができ、カウンター本体１２の両端近傍にそれぞれ設けられた該隙間部分から通過した光によって、水栓カウンター１０の下方を両端側から明るくすることができる。また、支持部７０は、接続部７２に接続された中央部７４と、中央部７４から接続部７２よりも側方に延び、カウンター本体１２の側端部の下方への撓みを抑制する側方部７５、７６と、を有しているため、これらの各側方部７５、７６により、カウンター本体１２の側端部の下方への撓みを抑制することができるため、水栓カウンター１０の美観を損なわせてしまうことがなく、また、カウンター天板２０が撓むことでカウンター天板２０の上に載置した物の落下する恐れがない。以上より、カウンター本体１２の両端近傍において壁面ＷＬとの間に隙間を設けることができつつ、カウンター本体１２の両端部分の撓みを抑制することができる。
【００７７】
水栓カウンター１０では、各側方部７５、７６を中央部７４と別体とし、水栓機能部２１を各側方部７５、７６に取り付けている。これにより、例えば、取付部７１と接続部７２と中央部７４とを壁面ＷＬに取り付けた後に、水栓機能部２１が設けられた各側方部７５、７６を中央部７４に取り付け、保持させることができる。これにより、重量の重い水栓カウンター１０を一度に壁面ＷＬに取り付ける必要が無く、水栓カウンター１０の施工性を向上させることができる。
【００７８】
なお、各側方部７５、７６は、中央部７４と一体に形成してもよい。また、この例では、中央部７４の左右両側に各側方部７５、７６を設けているが、例えば、カウンター本体１２の位置が取付部７１及び接続部７２の位置に対して左右にずれている場合や、片方の撓みの心配が小さい場合などには、中央部７４の左右の一方のみに側方部を設けてもよい。
【００７９】
水栓カウンター１０では、各側方部７５、７６が各立壁面７７ａ、７８ａよりカウンター本体１２の中心から遠い位置において下方へ力が受けた際にも、立壁面８０ａ、８１ａと立壁面７７ａ、７８ａとの当接により、各側方部７５、７６の立壁面７７ａ、７８ａよりカウンター本体１２の中心から遠い位置における下方への移動を抑制することができるため、カウンター本体１２の側端部の下方への撓みを抑制することができ、水栓カウンター１０の美観を損なわせてしまうことがなく、また、カウンター天板２０が撓むことでカウンター天板２０の上に載置した物の落下する恐れがない。また、立壁面８０ａ、８１ａ及び立壁面７７ａ、７８ａの下方とカバー部２２との間には収納空間ＳＳが形成されているため、立壁面８０ａ、８１ａ及び立壁面７７ａ、７８ａを設けた際にも、水栓機能部２１や例えば水栓機能部２１に接続する配管などのための収納空間ＳＳを確保することができる。従って、該収納空間ＳＳを圧迫することなく、カウンター本体１２の側端部の下方への撓みを適切に抑制することができる。
【００８０】
水栓カウンター１０では、各側方部７５、７６が延出部７５ｂ、７６ｂよりカウンター本体１２の中心から遠い位置において下方へ力を受けた際にも、延出部７５ｂ、７６ｂとブラケット部８０、８１との当接により、各側方部７５、７６の延出部７５ｂ、７６ｂよりカウンター本体１２の中心から遠い位置における下方への移動が抑制されるため、カウンター本体１２の側端部の下方への撓みを抑制することができ、水栓カウンター１０の美観を損なわせてしまうことがなく、また、カウンター天板２０が撓むことでカウンター天板２０の上に載置した物の落下する恐れがない。また、延出部７５ｂ、７６ｂの下方とカバー部２２との間には収納空間ＳＳが設けられているため、水栓機能部２１や例えば水栓機能部２１に接続する配管などのための収納空間ＳＳを確保することができる。従って、該収納空間ＳＳを圧迫することなく、カウンター本体１２の側端部の下方への撓みを適切に抑制することができる。
【００８１】
水栓カウンター１０では、カウンター天板２０の下面に面状に当接する当接部７５ａ、７６ａ、及び、カウンター天板２０の下面から離間するように当接部７５ａ、７６ａから下方に向かって、カウンター本体１２の正面からみて面状に延出する延出部７５ｂ、７６ｂを設ける。このことより、当接部７５ａ、７６ａの面が、延出部７５ｂ、７６ｂの面の上の辺が折れ曲がる方向に下方への外力を受けた際にも、延出部７５ｂ、７６ｂの面によって当接部７５ａ、７６ａの面が撓むことを防ぐことができるため、側方部７５、７６の下方への外力に対する剛性をより高めることができる。よって、側方部７５、７６がより変形しにくくなり、結果として水栓カウンター１０の強度を高めることができる。
【００８２】
また、複数の部品の少なくとも１つは当接部７５ａ、７６ａの下方に配置されるため、当接部７５ａ、７６ａから下方へ延出する延出部７５ｂ、７６ｂを設けた際にも、当接部７５ａ、７６ａの下方において当接部７５ａ、７６ａ及び延出部７５ｂ、７６ｂに囲まれて形成された空間を利用して水栓機能部２１を効率良く配置できるため、カウンター本体１２が厚くなってしまうことを抑制できる。また、水栓機能部２１は、当接部７５ａ、７６ａ及び延出部７５ｂ、７６ｂに囲まれて形成された空間に配置されるため、当接部７５ａ、７６ａ及び延出部７５ｂ、７６ｂによって水栓機能部２１を外部からの衝撃から保護することができる。
【００８３】
以上より、水栓機能部２１を効率良く配置できつつ、当接部７５ａ、７６ａ及び延出部７５ｂ、７６ｂによって水栓機能部２１を外部からの衝撃から保護することができ、且つ、このように水栓機能部２１を当接部７５ａ、７６ａの下方において当接部７５ａ、７６ａ及び延出部７５ｂ、７６ｂに囲まれて形成された空間を利用して配置させた際にも、延出部７５ｂ、７６ｂの面によって当接部７５ａ、７６ａの面が撓むことを防ぐことができるため、水栓機能部２１の重さによって側方部が変形してしまうことを抑制できる。
【００８４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、水栓カウンター１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８５】
２ カウンター、  ４ 照明、  １０ 水栓カウンター、  １２ カウンター本体、  １４ カウンター保持部、  ２０ カウンター天板、  ２１ 水栓機能部、  ２２ カバー部、  ３０ スパウト、  ３０ａ 吐水口、  ３１ 流量調整部、  ３２ シャワーエルボ、  ３３ 吐止水切替部、  ３４ 温度調整部、  ４０、４１ 側面パネル、  ４２ 下カバー、  ４３ 保持部カバー、  ５０ 給水口、  ５１ 給湯口、  ５２ 供給口、  ５４ 水用止水栓、  ５５ 湯用止水栓、  ６０、６１、６２、６３、６４、６５ 配管、  ７０ 支持部、  ７１ 取付部、  ７２ 接続部、  ７４ 中央部、  ７５、７６ 側方部、  ７５ａ、７６ａ 当接部、  ７５ｂ、７５ｃ、７６ｂ、７６ｃ 延出部、  ７７、７８ 連結部材、  ７７ａ、７８ａ 立壁面、  ８０、８１ ブラケット部、  ８０ａ、８１ａ 立壁面、  ８２ 平板部、  ９０、９１、９２、９３、９４、９５ 貫通孔、  １００、１０２ 部品保持部材、  ＳＳ 収納空間、  ＷＬ 壁面
【図１】
0006592935.tif 000002
【図２】
0006592935.tif 000003
【図３】
0006592935.tif 000004
【図４】
0006592935.tif 000005
【図５】
0006592935.tif 000006
【図６】
0006592935.tif 000007
【図７】
0006592935.tif 000008